(57)【要約】  【課題】  通報が何らかの原因で失敗した場合の不具合を解消する。  【解決手段】  住宅Ｊ内に設置される安否確認装置(通報装置)１が示され、この装置１は、独居老人など住宅Ｊ内に居る人の動きを検知する人体センサ２を備えている。例えば12または24時間などの所定時間に渡って前記人体センサ２に人体検知信号が発生しなかった場合のように、人の異常が判定されると、通信回線３を介して所定の通信端末４へ通報するものである。通報先の通信端末(電話機)４が通話中であったり、当該通信端末４が携帯電話機でありその電源が切れているなどのように、前記通報ができない何らかの原因があれば、その通報が行えず通報失敗となる。このような場合、通報失敗の事実が装置１に記憶される。そして、外部の通信端末４などから前記装置１に接続すると前記通報失敗の事実をその通信端末にガイダンスする機能を備えている。【選択図】  図５
2006048303.tif 000002
【特許請求の範囲】
【請求項１】
人の異常を判定する手段を備え、この手段により人の異常が判定されると、通信回線を介して所定の通信端末へ通報する安否確認装置であって、前記通報が何らかの原因で失敗した場合、外部の通信端末から前記装置に接続すると前記通報失敗の事実をその通信端末にガイダンスする機能を備えた安否確認装置。
【請求項２】
通報手段を備え、操作スイッチを操作することにより、通信回線を介して所定の通信端末へ通報可能な通報装置であって、前記通報が何らかの原因で失敗した場合、外部の通信端末から前記装置に接続すると前記通報失敗の事実をその通信端末にガイダンスする機能を備えた通報装置。
【発明の詳細な説明】
【技術分野】
【０００１】
本発明は、通信回線に接続されて使用され、独居老人などの安否を確認するための装置及び通報装置に関する。
【背景技術】
【０００２】
このような安否確認装置などは特許文献１に紹介されており、人体センサを備え、所定時間に渡って前記人体センサに人体検知信号が発生しなかった場合のように、人の異常が判定されると、通信回線を介して所定の通信端末へ通報を行うものが知られている。また、人体センサ以外に、テレビなどの家電製品の操作が所定時間に渡ってなされなかったことを人の異常と判定して、通信回線を介して所定の通信端末へ通報を行うものも想定される。
【特許文献１】特開２００１−２４３５７４号公報
【発明の開示】
【発明が解決しようとする課題】
【０００３】
しかし、通報先の通信端末(電話機)が通話中であったり、当該通信端末が携帯電話機でありその電源が切れているような場合には、その通報が行えず通報失敗となる。その事実は通報する側には装置のスピーカーからの音声ガイダンス、あるいはＬＥＤ表示などの視覚表示で伝えることが可能であるが、通報先の相手にとってはそれを確認する手段がなかった。また、単に操作スイッチを操作することにより、通報を行う通報装置の場合でも同様の問題がある。本発明はこのような解決すべき課題を鑑み、通報が何らかの原因で失敗した場合の不具合を解消することを目的とする。
【課題を解決するための手段】
【０００４】
本発明を要約すると、人の異常を判定する手段を備え、この手段により人の異常が判定されると、通信回線を介して所定の通信端末へ通報する安否確認装置であって、前記通報が何らかの原因で失敗した場合、外部の通信端末から前記装置に接続すると前記通報失敗の事実をその通信端末にガイダンスする機能を備えた安否確認装置である。
また、通報手段を備え、操作スイッチを操作することにより、通信回線を介して所定の通信端末へ通報可能な通報装置であって、前記通報が何らかの原因で失敗した場合、外部の通信端末から前記装置に接続すると前記通報失敗の事実をその通信端末にガイダンスする機能を備えた通報装置でもよい。
【発明の効果】
【０００５】
本発明によれば、通報が何らかの原因で失敗した場合、外部の通信端末から装置に接続すると前記通報失敗の事実をその通信端末にガイダンスする機能を備えたため、外部者からは通報の試みがあったことを容易に確認できて、対処を促進できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態には、住宅Ｊ内の床やテーブルなどに設置される安否確認装置(通報装置)１が示され、この装置１は、独居老人など住宅Ｊ内に居る人の動きを検知する焦電型赤外線センサなどの人体センサ２を備えている。そして、例えば12または24時間などの所定時間に渡って前記人体センサ２に人体検知信号が発生しなかった場合のように、人の異常が判定されると、電話回線やインターネットなどの通信回線３を介して携帯電話機その他の所定の通信端末４へ通報するものである。そして、例えば、通報先の通信端末(電話機)４が通話中であったり、当該通信端末４が携帯電話機でありその電源が切れているなどのように、前記通報ができない何らかの原因があれば、その通報が行えず通報失敗となる。このような場合、通報失敗の事実が装置１に記憶される。そして、本発明では、外部の通信端末４などから前記装置１に接続すると前記通報失敗の事実をその通信端末にガイダンスする機能を備えている。その詳細は後述する。
【０００８】
なお、例えば、テレビなどの家電製品の操作が所定時間に渡ってなされなかったことを時間カウントすることにより人の異常を判定する手段を備え、この手段により人の異常が判定されると、通信回線３を介して所定の通信端末４へ通報を行うものでも、もちろんよい。要するに、人の異常を判定する手段を備え、この手段により人の異常が判定されると、通信回線３を介して所定の通信端末４へ通報する安否確認装置であればよい。
【０００９】
また、図示の実施形態は、通報手段を備え、操作スイッチ(連絡ボタン)５を押圧操作することにより、通信回線３を介して所定の通信端末４へ通報可能な通報装置であって、前記通報が何らかの原因で失敗した場合、外部の通信端末４から前記装置１に接続すると前記通報失敗の事実をその通信端末４にガイダンスする機能を備えた通報装置でもある。
【００１０】
この装置１は、住宅Ｊ内の図示されない照明器具やエアコンなどの機器を外部から遠隔制御する機器コントローラ(テレコントローラ)としての機能も併せ備えている。この装置１の主要構成は、ワンチップマイコン・EEPROMなどによる制御部６を主要素とし、制御部６は、いわゆるDTMF-IC７とリレー回路８(リレー接点8a含む)及びライントランス９などを含むアナログ回線I/Fを介して通信回線３との信号授受を行う通常のものである。また、制御部６の出力信号により赤外LED１０から赤外線リモコン信号を照明器具やエアコンに向けて送出可能としている。
【００１１】
また、制御部６には、人体が発する赤外線を検知可能な人体センサ２と操作スイッチ５などからの信号が入力される。また、制御部６とライントランス９間には音声IC１１が接続され、音声IC１１の出力はAMP１２を介してスピーカー１３を駆動し、音による回線モニター機能や装置使用時の音声ガイダンス機能などが可能となっている。また、１４はフォトカップラなどを用いた呼出信号検出回路、１５はフォトカップラなどを用いた使用状況確認回路であり、いずれも装置１の背面に設けた回線端子１６に接続される通信回線３の状態を検出している。また、電話機端子１７には装置１の設置以前に既にあった電話機１８などを接続して使用できる。なお、１９は装置１の電源スイッチである。
【００１２】
この装置１は、通信端末４などを用いて外部から送信した信号を通信回線３を介して受け、制御部６の制御機能に基づき前記信号に対応して、照明器具やエアコンが認識する赤外線リモコン信号を送出することができる。また、人体センサ２により人(侵入者)が装置１の近傍に来たことを検知した場合、この検知信号に基づいて通信端末４に人検知信号を送る設定にすることも可能である。
【００１３】
この装置１は独居老人など高齢者のみまもり(安否確認)に適しており、みまもりを行いたい人のいる住宅に設置しておく。みまもりモードとするには装置１の背面にある「みまもり」ボタン(スイッチ)２０を押しておく。これにより装置１の前面にある「みまもり」LED２１が点灯してそのモード状態が分かる。なお、「みまもり」ボタン２０をもう１回押すと「みまもり」モードは解除されて、「みまもり」LED２１は消灯する。みまもりモード状態では、人の動きが人体センサ２で検知可能になり、人検知のある毎に装置１の前面にある「センサ」検知LED２２が点灯する。なお、みまもり時間(センサ非検知継続時間)は装置１背面のスイッチ２３のスライド位置に応じて、12時間または24時間に設定できる。
【００１４】
宅人になんらかの異常があって動きがない状況が続き、設定された所定時間に渡って人体センサ２に人体検知信号が発生しなかった場合には、通信回線３を介して携帯電話機その他の所定の通信端末４へ通報するものである。しかし、前記通報が何らかの原因で失敗した場合、外部の通信端末４(４以外でも可)から前記装置１に接続すると前記通報失敗の事実をその通信端末にガイダンスする機能を備えている。
【００１５】
さらに詳述すれば、まず、人の異常が判定されたり、あるいは、人が操作スイッチ５を操作することにより、装置１は通信回線３を介して所定の通信端末４へ通報する。しかし、この通報が何らかの原因で失敗した場合には、その通報が行えず通報失敗となる。このような場合、例えば30秒の待ち時間の後に通報失敗の事実が装置１のEEPROMに記憶される。そして、本発明の特徴として、外部の通信端末４などから装置１に接続すると前記通報失敗の事実をその通信端末にガイダンスする機能を備えている。次に、その詳細について図５のフローを参照して説明する。
【００１６】
まず、外部者が宅人の安否を確認するために通信端末４から装置１に対して回線接続しようとする(中略)。そして、S1にてDTMF信号により通信端末４から暗証番号が入力されると、その暗証番号が正しければ(S2-Y)、S3にて制御部６のマイコンにEEPROMに記憶されていた通報失敗の事実が読み込まれる。そして、S4にて前記通報失敗の事実をその通信端末４に対してガイダンスする。例えば、「２４時間以上センサ検知がありません」と音声ガイダンスする。そのガイダンスが終了すれば(中略)、S5にてオンフックとなって処理が終了する。なお、S2にて暗証番号が正しくなければ(N)、S6にて暗証番号判定2回目まではS1に戻され、3回目になるとS7にてオンフックされるため、通信端末４は装置１にアクセスできなくなるようにしている。
【００１７】
以上のように本実施形態によれば、人の異常が判定されたり、あるいは、人が操作スイッチ５を操作することにより、装置１が所定の通信端末４へ通報するも、その通報が何らかの原因で失敗していた場合、任意に外部の通信端末４などから装置１に接続すると前記通報失敗の事実をその通信端末に対してガイダンスする機能を備えたため、外部の者からは通報の試みがあったことを容易に確認できて、住宅Ｊに駆けつけるなどの対処を促進できる。
【図面の簡単な説明】
【００１８】
【図１】本発明による装置の設置状態概略図
【図２】同装置を前面から見た外観斜視図
【図３】同背面図
【図４】同回路ブロック図
【図５】同動作を示すフロー図
【符号の説明】
【００１９】
１  安否確認装置(通報装置)
２  人体センサ
３  通信回線
４  通信端末
５  操作スイッチ
【図１】
2006048303.tif 000003
【図２】
2006048303.tif 000004
【図３】
2006048303.tif 000005
【図４】
2006048303.tif 000006
【図５】
2006048303.tif 000007